(57)【特許請求の範囲】
【請求項１】
読み取り対象の原稿が戴置される原稿ガラスの外側に所定の方向に沿って配置され、前記所定の方向の走査範囲をカバーする長さを有し、中央付近の所定の色境界を境に互いに異なる色で彩色されたマークと、
前記所定の方向に上流側から下流側へ走査され、所定の指示に基づいて移動し前記マークを読み取るラインセンサと、
所定の条件が充足されたときに前記ラインセンサに読み取らせた前記マークの第１の色に基づき前記色境界に向かって所定の第１の速度で前記ラインセンサを移動させ、前記マークの第２の色を検出したときに前記ラインセンサを停止させ、前記色境界に向かって、前記第１の速度よりも小さい第２の速度で前記ラインセンサを移動させ、前記第１の色を検出したときに前記ラインセンサを停止させ、この停止した位置を基準として前記ラインセンサを上流側に前記第１の速度よりも大きい第３の速度で予め定めた距離移動させた位置から読み取りを開始させる制御部と、
を備えたことを特徴とする画像読取装置。
【請求項２】
前記マークは、このマークの配設方向に直交した自身のマークの中心線を境にして上流側と下流側とで異なる色に彩色され、
前記制御部は、電源がオンになった時、又は操作者の操作に基づいて、前記ラインセンサを移動させずに前記ラインセンサに現在の位置で前記マークを読み取らせ、前記ラインセンサの前記マークの読み取り結果に基づいて、前記ラインセンサの現在の位置が前記マークの上流側にあるか否かを判断し、前記ラインセンサが前記マークの上流側にある場合には前記マークの下流側に、前記ラインセンサを前記マークを読み取らせながら、前記第１の速度で移動させ、前記ラインセンサが前記マークの下流側に対応する色を検出したときに、前記ラインセンサを停止させ、前記マークの上流側に、前記第２の速度で前記ラインセンサを移動させ、前記ラインセンサが前記マークの上流側に対応する色を検出したときに、前記ラインセンサを停止させ、この停止した位置を前記ラインセンサの基準位置とし、この基準位置を基準にして、ラインセンサを上流側に前記第１の速度よりも高速の第３の速度で予め定めた距離移動させ、移動後の位置を読み取り開始位置と決定する、
ことを特徴とする請求項１記載の画像読取装置。
【請求項３】
前記マークは、このマークの配設方向に直交した自身のマークの中心線を境にして上流側と下流側とで異なる色に彩色され、
前記制御部は、電源がオンになった時、又は操作者の操作に基づいて、前記ラインセンサを移動させずに前記ラインセンサに現在の位置で前記マークを読み取らせ、前記ラインセンサの前記マークの読み取り結果に基づいて、前記ラインセンサの現在の位置が前記マークの下流側にあるか否かを判断し、前記ラインセンサが前記マークの下流側にある場合には前記マークの上流側に、前記ラインセンサを前記マークを読み取らせながら、前記第１の速度で移動させ、前記ラインセンサが前記マークの上流側に対応する色を検出したときに、前記ラインセンサを停止させ、前記マークの下流側に、前記第２の速度で前記ラインセンサを移動させ、前記ラインセンサが前記マークの下流側に対応する色を検出したときに、前記ラインセンサを停止させ、この停止した位置を前記ラインセンサの基準位置とし、この基準位置を基準にして、ラインセンサを上流側に前記第１の速度よりも高速の第３の速度で予め定めた距離移動させ、移動後の位置を読み取り開始位置と決定する、
ことを特徴とする請求項１記載の画像読取装置。
【請求項４】
前記マークに彩色された異なる色は白色と黒色である、ことを特徴とする請求項１、２又は３記載の画像読取装置。
【請求項５】
読み取り対象の原稿が戴置される原稿ガラスの外側に所定の方向に沿って配置され、前記所定の方向の走査範囲をカバーする長さを有し、中央付近の所定の色境界を境に互いに異なる色で彩色されたマークを、所定の条件が充足されたときに前記ラインセンサに前記マークを読み取らせ、
この読み取らせた前記マークの第１の色に基づき前記色境界に向かって所定の第１の速度で前記ラインセンサを移動させ、
前記ラインセンサが前記マークの第２の色を検出したときに前記ラインセンサを停止させ、
前記色境界に向かって、前記第１の速度よりも小さい第２の速度で前記ラインセンサを移動させ、
前記第１の色を検出したときに前記ラインセンサを停止させ、
この停止した位置を基準として前記ラインセンサを上流側に前記第１の速度よりも大きい第３の速度で予め定めた距離移動させた位置から読み取りを開始させる、
ことを特徴とする画像読取方法。
【請求項６】
前記マークは、このマークの配設方向に直交した自身のマークの中心線を境にして上流側と下流側とで異なる色に彩色され、
電源がオンになった時、又は操作者の操作に基づいて、前記ラインセンサを移動させずに前記ラインセンサに現在の位置で前記マークを読み取らせ、前記ラインセンサの前記マークの読み取り結果に基づいて、前記ラインセンサの現在の位置が前記マークの上流側にあるか否かを判断し、
前記ラインセンサが前記マークの上流側にある場合には前記マークの下流側に、前記ラインセンサを前記マークを読み取らせながら前記第１の速度で移動させ、
前記ラインセンサが前記マークの下流側に対応する色を検出したときに、前記ラインセンサを停止させ、前記マークの上流側に前記第２の速度で前記ラインセンサを移動させ、
前記ラインセンサが前記マークの上流側に対応する色を検出したときに、前記ラインセンサを停止させ、この停止した位置を前記ラインセンサの基準位置とし、
この基準位置を基準にして、ラインセンサを上流側に前記第１の速度よりも高速の第３の速度で予め定めた距離移動させ、移動後の位置を読み取り開始位置と決定する、
ことを特徴とする請求項５記載の画像読取方法。
【請求項７】
前記マークは、このマークの配設方向に直交した自身のマークの中心線を境にして上流側と下流側とで異なる色に彩色され、
電源がオンになった時、又は操作者の操作に基づいて、前記ラインセンサを移動させずに前記ラインセンサに現在の位置で前記マークを読み取らせ、前記ラインセンサの前記マークの読み取り結果に基づいて、前記ラインセンサの現在の位置が前記マークの下流側にあるか否かを判断し、
前記ラインセンサが前記マークの下流側にある場合には前記マークの上流側に、前記ラインセンサを前記マークを読み取らせながら、前記第１の速度で移動させ、
前記ラインセンサが前記マークの上流側に対応する色を検出したときに、前記ラインセンサを停止させ、前記マークの下流側に前記第２の速度で前記ラインセンサを移動させ、
前記ラインセンサが前記マークの下流側に対応する色を検出したときに、前記ラインセンサを停止させ、この停止した位置を前記ラインセンサの基準位置とし、
この基準位置を基準にして、ラインセンサを上流側に前記第１の速度よりも高速の第３の速度で予め定めた距離移動させ、移動後の位置を読み取り開始位置と決定する、
ことを特徴とする請求項５記載の画像読取方法。
【請求項８】
前記マークに彩色された異なる色は白色と黒色である、ことを特徴とする請求項５、６又は７記載の画像読取方法。
【発明の詳細な説明】
【技術分野】
【０００１】
本発明は、画像読取装置及び画像読取方法に関し、原稿の画像を読み取る画像読取装置及び画像読取方法に関する。
【背景技術】
【０００２】
原稿の画像を読み取る画像読取装置として、原稿ガラス上に設定した原稿に対して主走査方向を読み取るラインセンサを主走査方向に直交する副走査方向に移動させて原稿の画像を読み取るフラットベッドタイプの画像読取装置が知られている。
【０００３】
このような画像読取装置では、原稿の読み取り動作の開始前に、ラインセンサを所定の画像の読み取り開始位置に移動させる必要がある。
【０００４】
特許文献１に、ラインセンサを所定の読み取り開始位置に移動させる技術が開示されている。特許文献１に開示の技術は、ラインセンサの移動範囲内に特定のマーク（原点識別マーク）を配置し、電源をオンにした時等ラインセンサの位置が不明の場合、この原点識別マークを読み取り、この原点識別マークの位置を基準位置にする。そして、この位置を基準にして読み取り開始位置を検出する。原点識別マークとして、白色の領域と黒色の領域とを副走査方向に隣接して配置したパターンが使用されている。
【０００５】
特許文献１に開示の画像読取装置の原稿読取部は、図３に示すように長方形を成し、ラインセンサ５、基準部材６を備える。図３は、画像読取装置の原稿読取部を上方から見た図である。
【０００６】
ラインセンサ５は、複数のセンサにより構成し上流側から下流側へ走査して原稿ガラスに載置した原稿の画像を読み取る。
【０００７】
基準部材６は、筐体の内面（筐体の下面）にあって、白色の領域（白基準部）と黒色の領域（黒領域）とを副走査方向に隣接して配置した原点識別マークを有している。基準部材６は、ラインセンサ５の可動範囲の上流側の端部に位置する。基準部材６は、副走査方向に二分されており、上流側が白基準部、下流側が解像度測定基準部となっている。白基準部は、全域が均一な濃度の白色になっている。一方、解像度測定基準部は、主走査方向の一方の端部が黒領域、残りの部分が白領域とされ、黒領域と白領域とが主走査方向に隣接している。さらに、黒領域は、白基準部とも副走査方向に隣接している。白基準部と黒領域とが「原点識別マーク」となる。読み取り開始位置は、原点識別マークと原稿ガラスとの間にある。したがって、原点識別マークは読み取り開始位置の近くに設定されている。
【０００８】
ここで、図４を使用してラインセンサ５の読み取り開始位置を検出する動作を説明する。図４は、関連技術に係るラインセンサの読み取り開始位置を検出する動作を説明するためのフローチャートである。
【０００９】
図４のステップＳ１では、電源をオンした時等ラインセンサ５の位置が不明の場合、ラインセンサ５を移動させずに、すなわち現在の位置で、ラインセンサ５に読み取りをさせる。
【００１０】
図４のステップＳ２では、ラインセンサ５内の原点識別マークをカバーする位置のセンサの読み取り結果に基づいて、ラインセンサ５の現在の位置が白基準部にあるのか否かを調べる。調べた結果が、ラインセンサ５の現在の位置が白基準部にあることを示す場合には、図４のステップＳ４へ進む。調べた結果が、ラインセンサ５の現在の位置が白基準部以外にあることを示す場合には、図４のステップＳ３へ進む。
【００１１】
図４のステップＳ３では、ラインセンサ５に読み取りをさせながら、副走査方向の上流側に向かって比較的高速で移動する概略移動をさせて、白基準部が検出されたときにラインセンサ５を停止させる。そして、図４のステップＳ４へ進む。ここで、概略移動の速度は、ラインセンサ５に読み取りをさせながら移動させたときに白基準部が検出できる程度の速度である。
【００１２】
図４のステップＳ４では、ラインセンサ５に読み取りをさせながら、副走査方向の下流側に向かって移動速度の遅い詳細移動をさせて、ラインセンサ５内の原点識別マークをカバーする位置のセンサの読み取り結果に基づいて、黒領域の検出を行う。そして、黒領域が検出されたときに停止させ、この停止した位置が白基準部と黒領域との境界であると判断し、その境界の位置を基準位置とする。そして、図４のステップＳ５へ進む。
【００１３】
図４のステップＳ５では、基準位置を基準してラインセンサを予め定めた距離移動させ、移動後の位置を読み取り開始位置とする。
【００１４】
このように、特許文献１に開示の技術は、ラインセンサ５の現在の位置が白基準部以外の場合、ラインセンサ５に読み取りをさせながら、副走査方向の上流側に向かって白基準部が検出できる程度の比較的高速の移動速度で概略移動をさせる。そして、ラインセンサ５内の原点識別マークをカバーする位置のセンサの読み取り結果に基づいて白基準部の検出を行う。そして、白基準部の検出後、白基準部と黒領域との境界を低速の移動速度で移動する詳細移動により検出し、この境界の位置を基準位置とし、この基準位置を基準してラインセンサを読み取り開始位置に移動させる。
【先行技術文献】
【特許文献】
【００１５】
【特許文献１】特開２００９−１３５７３０号公報
【発明の概要】
【発明が解決しようとする課題】
【００１６】
上述した特許文献１に記載の画像読取装置は、読み取り開始位置を検出する際に、ラインセンサの現在位置がラインセンサの可動範囲の下流端であった場合、ラインセンサを、この下流端から上流端にある白基準部まで概略移動をさせる必要がある。すなわち、ラインセンサを、ラインセンサの可動範囲の下流端からラインセンサの可動範囲の上流端にある原点識別マークの白基準部まで、白基準部を検出できる程度の速度で移動をさせる必要がある。したがって、ラインセンサがラインセンサの可動範囲の下流端に位置した場合、白基準部を検出するために、ラインセンサを白基準部を検出できる程度の速度で移動させる必要があるので、読み取り開始位置の検出に時間が掛かるという問題がある。
【００１７】
本発明の目的は、上記課題を解決して、読み取り開始位置の検出に時間が掛からない画像読取装置及び画像読取方法を提供することである。
【課題を解決するための手段】
【００１８】
本発明の画像読取装置は、読み取り対象の原稿が戴置される原稿ガラスの外側に所定の方向に沿って配置され、前記所定の方向の走査範囲をカバーする長さを有し、中央付近の所定の色境界を境に互いに異なる色で彩色されたマークと、前記所定の方向に上流側から下流側へ走査され、所定の指示に基づいて移動し前記マークを読み取るラインセンサと、  所定の条件が充足されたときに前記ラインセンサに読み取らせた前記マークの第１の色に基づき前記色境界に向かって所定の第１の速度で前記ラインセンサを移動させ、前記マークの第２の色を検出したときに前記ラインセンサを停止させ、前記色境界に向かって、前記第１の速度よりも小さい第２の速度で前記ラインセンサを移動させ、前記第１の色を検出したときに前記ラインセンサを停止させ、この停止した位置を基準として前記ラインセンサを上流側に前記第１の速度よりも大きい第３の速度で予め定めた距離移動させた位置から読み取りを開始させる制御部と、を備えている。
【００１９】
本発明の画像読取方法は、読み取り対象の原稿が戴置される原稿ガラスの外側に所定の方向に沿って配置され、前記所定の方向の走査範囲をカバーする長さを有し、中央付近の所定の色境界を境に互いに異なる色で彩色されたマークを、所定の条件が充足されたときに前記ラインセンサに前記マークを読み取らせ、この読み取らせた前記マークの第１の色に基づき前記色境界に向かって所定の第１の速度で前記ラインセンサを移動させ、前記ラインセンサが前記マークの第２の色を検出したときに前記ラインセンサを停止させ、前記色境界に向かって、前記第１の速度よりも小さい第２の速度で前記ラインセンサを移動させ、前記第１の色を検出したときに前記ラインセンサを停止させ、この停止した位置を基準として前記ラインセンサを上流側に前記第１の速度よりも大きい第３の速度で予め定めた距離移動させた位置から読み取りを開始させる、ようにしている。
【発明の効果】
【００２０】
本発明によれば、読み取り開始位置の検出に時間が掛からない画像読取装置及び画像読取方法を提供することができる。
【図面の簡単な説明】
【００２１】
【図１】本発明の実施の形態に係る画像読取装置の一例を示す図である。
【図２】本発明の実施の形態の動作の一例を示すフローチャートである。
【図３】関連技術に係る画像読取装置の原稿読取部を示す図である。
【図４】関連技術に係るラインセンサの読み取り開始位置を検出する動作を説明するためのフローチャートである。
【発明を実施するための形態】
【００２２】
次に、本発明の実施の形態について図面を参照して説明する。
【００２３】
図１は、本発明の実施の形態に係る画像読取装置の一例を示す図である。図１の上の図は、本実施の形態の画像読取装置を上方から見た図であり、下の図は、側面図である。
【００２４】
本実施の形態に係る画像読取装置１は、マーク２と、ラインセンサ３と、制御部４とにより構成される。
【００２５】
図１には、筐体、原稿を戴置する原稿ガラスも記載してある。
【００２６】
画像読取装置１は、主走査方向を読み取るラインセンサ３を、主走査方向と直交する副走査方向に上流側から下流側へ走査して原稿の画像を読み取る。
【００２７】
マーク２は、筐体の内面（筐体の下面）にあって、原稿ガラスの一方の外側に副走査方向に沿って配置され、ラインセンサ３の副走査方向の走査範囲をカバーする長さの矩形を有し、中央付近を境に互いに異なる第１の色及び第２の色で彩色されている。したがって、マーク２の配色の境界は、ラインセンサ３の可動範囲の上流端と下流端との中央付近である。
【００２８】
ラインセンサ３は、制御部４の指示に基づいて移動しマーク２を読み取る。
【００２９】
制御部４は、電源がオンになった時等ラインセンサ３の位置が不明の場合、又は電源オン後の操作者の操作に基づいて、ラインセンサ３に現在の位置でマーク２を読み取らせ、マーク２の読み取り結果（マーク２の第１の色、又は第２の色）に基づいてラインセンサ３の概略位置を把握する。
【００３０】
そして、マーク２の現在の位置の色と異なる配色の境界に向かって予め定めた比較的高速の第１の速度でラインセンサ３を移動させ、ラインセンサ３が移動を開始した位置の色と異なる色を検出したときに、ラインセンサ３を停止させる。ここで、第１の速度とは、マーク２の配色の境界の近傍が検出できる程度の、例えば６０ｍｍ／ｓｅｃ等の速度であり、マーク２の配色の境界の近傍が検出できれば良くシステムにより適宜変更して良い。
【００３１】
そして、マーク２の現在の位置の色（ラインセンサ３の停止位置に対応するマーク２の色）と異なる配色の境界に向かって、この境界が予め定めた精度で検出できるような第１の速度よりも低速の第２の速度でラインセンサ３を移動させる。ここで、第２の速度とは、例えば３０ｍｍ／ｓｅｃ等の速度であり、マーク２の配色の境界が予め定めた精度（例えば、副走査方向の±３ドット（±０．１２６ｍｍ）程度）で検出できれば良くこの精度はシステムにより適宜変更して良い。ここで、マーク２の配色の境界の精度は、例えば、副走査方向のラインセンサの読み取り解像度が６００ｄｐｉ（ドット／インチ）の場合±３ライン程度の精度であり、すなわち、副走査方向の±３ドット（±（２５．４ｍｍ／６００ｄ）×３ｄ＝±０．１２６ｍｍ）の精度である。
【００３２】
そして、ラインセンサ３が移動を開始した位置の色と異なる色を検出したときに、ラインセンサ３を停止させ、この停止した位置をラインセンサ３の基準位置とする。
【００３３】
そして、制御部４は、この基準位置を基準にして、ラインセンサ３を第１の速度よりも高速の第３の速度（例えば１２０ｍｍ／ｓｅｃ等であり、システムにより適宜変更して良い）で予め定めた距離上流側に移動させ、移動後の位置を読み取り開始位置と決定する。
【００３４】
このように、本発明の実施の形態によれば、読み取り開始位置を検出する場合、ラインセンサの現在位置から、マークの配色の境界、すなわちラインセンサの可動範囲の上流端と下流端との中央付近に、所定の第１の速度で移動する。その後、第１の速度よりも低速の第２の速度で移動しこの境界を検出しこの境界をラインセンサの基準位置とする。そして、この基準位置を基準にして、ラインセンサを第１の速度よりも高速の第３の速度で予め定めた距離上流側に移動させ、移動後の位置を読み取り開始位置と決定する。
【００３５】
このため、本発明の実施の形態によれば、ラインセンサがラインセンサの可動範囲の下流端に位置した場合であっても、所定の第１の速度による移動を、上流端まで行う必要がない。すなわち、第１の速度による移動を、マークの配色の境界、すなわちラインセンサの可動範囲の上流端と下流端との中央付近まで行えば良い。また、基準位置を検出後、この位置を基準にして、ラインセンサを第１の速度よりも高速の第３の速度で予め定めた距離上流側に移動させ、移動後の位置を読み取り開始位置と決定する。このため、読み取り開始位置の検出に時間が掛からない。
【００３６】
ここで、本発明の実施の形態に係る画像読取装置１の一例を詳細に説明する。
【００３７】
マーク２は、副走査方向に直交した自身のマーク２の中心線を境にして上流側と下流側とで異なる色に配色してある。本実施の形態では、マーク２の中心線を境にして、例えば上流側を白色、下流側を黒色とする。
【００３８】
ラインセンサ３は、例えば複数のセンサをライン状に配置し、センサに入力される例えば光量に応じた電圧を出力する。
【００３９】
制御部４は、移動の指示やマーク２を読み取る指示をラインセンサ３に出し、ラインセンサ３を移動させたりマーク２を読み取らせたりする。制御部４は、ラインセンサ３を構成する複数のセンサのうちのマーク２を読み取る部分のセンサの出力した電圧に応じて、このセンサが読み取ったマーク２が黒色か白色かを判定する。
【００４０】
制御部４は、電源がオンになった時等ラインセンサ３の位置が不明の場合、又は電源オン後の操作者の操作に基づいて、ラインセンサ３を移動させずに、現在の位置でラインセンサ３にマーク２を読み取らせる。そして、制御部４は、ラインセンサ３の読み取り結果に基づいて、ラインセンサ３の現在位置がマーク２の上流側にあるのか下流側にあるのかを判定する。そして、制御部４は、ラインセンサ３をマーク２を読み取らせながらマーク２の中心線の方向に移動させて、中心線の位置を検出し、この位置をラインセンサ３の基準位置と決定する。そして、制御部４は、この基準位置を基準にして、ラインセンサ３を予め定めた距離上流側に移動させ、移動後の位置を読み取り開始位置と決定する。
【００４１】
次に、本発明の実施の形態に係る画像読取装置の動作を図２を参照して詳細に説明する。
【００４２】
図２は、本発明の実施の形態の動作の一例を示すフローチャートである。
【００４３】
制御部４は、画像読取装置１の電源をオンにした時、あるいは、図示しない操作部へのユーザの操作に基づいて、以下のように読み取り開始位置を検出する。
【００４４】
図２のステップＳ１では、制御部４は、ラインセンサ３にマーク２を読み取る指示を出す。すなわち、ラインセンサ３を移動させずに、現在の位置で、ラインセンサ３にマーク２を読み取らせる。ラインセンサ３は、マーク２の読み取りの指示を受けて、主走査方向にライン状に走査する。マーク２に対応している部分のセンサは、マーク２の色に対応した電圧を出力する。
【００４５】
図２のステップＳ２では、制御部４は、マーク２に対応している部分のセンサが出力した電圧に基づいて、ラインセンサ３の現在の位置のマーク２の色が白色であるか否か、すなわち、ラインセンサ３がマーク２の上流側にあるのか否かを調べる。制御部４は、調べた結果が、ラインセンサ３がマーク２の上流側にあることを示す場合には、図２のステップＳ３へ進む。制御部４は、調べた結果が、ラインセンサ３がマーク２の上流側にあることを示さない場合には、図２のステップＳ５へ進む。
【００４６】
図２のステップＳ３では、制御部４は、ラインセンサ３をマーク２の下流側の方向に、マーク２を読み取らせながら第１の速度で移動させる。そして、制御部４は、ラインセンサ３がマーク２の下流側に対応する色（本実施の形態では黒色）を検出したときに、ラインセンサ３を停止させる。
【００４７】
図２のステップＳ４では、制御部４は、ラインセンサ３をマーク２の上流側の方向に、マーク２を読み取らせながら第２の速度で移動させる。そして、制御部４は、ラインセンサ３がマーク２の上流側に対応する色（本実施の形態では白色）を検出したときに、ラインセンサ３を停止させ、この停止した位置をラインセンサ３の基準位置と決定する。そして、図２のステップＳ７へ進む。
【００４８】
図２のステップＳ５では、制御部４は、ラインセンサ３をマーク２の上流側の方向に、マーク２を読み取らせながら第１の速度で移動させる。そして、制御部４は、ラインセンサ３がマーク２の上流側に対応する色（本実施の形態では白色）を検出したときに、ラインセンサ３を停止させる。
【００４９】
図２のステップＳ６では、制御部４は、ラインセンサ３をマーク２の下流側の方向に、マーク２を読み取らせながら第２の速度で移動させる。そして、制御部４は、ラインセンサ３がマーク２の下流側に対応する色（本実施の形態では黒色）を検出したときに、ラインセンサ３を停止させ、この停止した位置をラインセンサ３の基準位置と決定する。そして、図２のステップＳ７へ進む。
【００５０】
図２のステップＳ７では、制御部４は、この基準位置を基準にして、ラインセンサ３を第１の速度よりも高速の第１の速度で移動上流側に予め定めた距離移動させ、移動後の位置を読み取り開始位置と決定する。
【００５１】
以上の説明では、上流側を白色、下流側を黒色としたが、上流側を黒色、下流側を白色としても良い。このときには、制御部４は、黒色を検出したときにはラインセンサ３の位置を上流側と判定し、白色を検出したときにはラインセンサ３の位置を下流側と判定すれば良い。また、図１では、マーク２を副走査方向の原稿ガラスの外側の筐体の上部に設定したが、原稿ガラスの外側の筐体の下部に設定しても良い。
【００５２】
このように、本実施形態によれば、読み取り開始位置を検出する場合、ラインセンサの現在位置から、マークの配色の境界、すなわちラインセンサの可動範囲の上流端と下流端との中央付近に、マークの配色の境界の近傍が検出できる程度の予め定めた比較的高速の第１の速度で移動する。その後、マークの配色の境界が予め定めた精度で検出できるような第１の速度よりも低速の第２の速度で移動しこの境界を検出しこの境界をラインセンサの基準位置とする。そして、この基準位置を基準にして、ラインセンサを第１の速度よりも高速の第３の速度で予め定めた距離上流側に移動させ、移動後の位置を読み取り開始位置と決定する。
【００５３】
このため、本実施形態によれば、ラインセンサがラインセンサの可動範囲の下流端に位置した場合であっても、マークの配色の境界の近傍が検出できる程度の第１の速度による移動を、上流端まで行う必要がない。すなわち、第１の速度による移動を、マークの配色の境界、すなわちラインセンサの可動範囲の上流端と下流端との中央付近まで行えば良い。また、基準位置を検出後、この位置を基準にして、ラインセンサを第１の速度よりも高速の第３の速度で予め定めた距離上流側に移動させ、移動後の位置を読み取り開始位置と決定する。このため、読み取り開始位置の検出に時間が掛からない。
【符号の説明】
【００５４】
１  画像読取装置
２  マーク
３  ラインセンサ
４  制御部
５  ラインセンサ
６  基準部材
【図１】
0005635547.tif 000002
【図２】
0005635547.tif 000003
【図３】
0005635547.tif 000004
【図４】
0005635547.tif 000005